(57)【要約】【課題】収容されて運搬される動物に安心感を与え、かつ落下を防止して安全に運搬し得る肩掛け可能な動物用キャリーバッグを提供する。【解決手段】愛玩動物Ａを収容可能な動物収容部Ｓを有するバッグ本体１ａと、該バッグ本体１ａに備えられ、バッグ本体１ａを飼い主が肩掛け可能とする肩掛け部８と、バッグ本体１ａの底面部２に備えられ、少なくとも運搬者の手指を挿し入れ可能な隙間９０ｃを有している把持ベルト９０とで構成されている。【選択図】図４
0003154180.tif 000002
【実用新案登録請求の範囲】
【請求項１】
少なくとも一部に収容口を備えた動物収容部を有するバッグ本体と、バッグ本体を肩に掛けた状態で吊り下げ可能な肩掛け部を含み、運搬者が肩に掛けた状態で動物を収容して運搬可能なキャリーバッグであって、
バッグ本体は、運搬者が肩掛け部を肩に掛けた状態で、かつ肩掛け部を掛けた側の腕でバッグ本体を抱え込むことが可能な大きさに形成されており、
前記バッグ本体の底面部には、前記バッグ本体を抱え込んだ運搬者の手指で保持可能な保持部が備えられていることを特徴とする肩掛け可能な動物用キャリーバッグ。
【請求項２】
保持部は、少なくとも運搬者の手指を挿し入れ可能な隙間を備えたベルト状に形成されていることを特徴とする請求項１に記載の肩掛け可能な動物用キャリーバッグ。
【請求項３】
少なくとも一部に収容口を備えた動物収容部を有するバッグ本体と、バッグ本体を肩に掛けた状態で吊り下げ可能な肩掛け部を含み、運搬者が肩に掛けた状態で動物を収容して運搬可能なキャリーバッグであって、
バッグ本体は、運搬者が肩掛け部を肩に掛けた状態で、かつ肩掛け部を掛けた側の腕でバッグ本体を抱え込むことが可能な大きさに形成され、かつ
運搬者の体に接する面部を背面部とし、該背面部と対向し、抱え込んだ運搬者の腕が接する面部を正面部とした時に、
正面部、あるいは正面部と底面部の境界部位に、前記バッグ本体を抱え込んだ運搬者の手指が挿入されて保持可能な保持部が備えられていることを特徴とする肩掛け可能な動物用キャリーバッグ。
【請求項４】
保持部は、動物収容部と連通している開口であることを特徴とする請求項３に記載の肩掛け可能な動物用キャリーバッグ。
【請求項５】
動物収容部の内底面部には、開口を介して挿入された運搬者の手指が挿し入れ可能な隙間を備えたベルト状部材が備えられていることを特徴とする請求項４に記載の肩掛け可能な動物用キャリーバッグ。
【請求項６】
バッグ本体の底面部と動物収容部との間に所定の空間部が形成され、
保持部は、前記所定の空間部と連通している開口であることを特徴とする請求項３に記載の肩掛け可能な動物用キャリーバッグ。
【請求項７】
所定の空間部には、開口を介して挿入された運搬者の手指を挿し入れ可能な隙間を備えたベルト状部材が備えられていることを特徴とする請求項６に記載の肩掛け可能な動物用キャリーバッグ。
【請求項８】
所定の空間部は、動物収容空間の底面領域と略同一領域で形成されていることを特徴とする請求項６に記載の肩掛け可能な動物用キャリーバッグ。
【請求項９】
所定の空間部は、動物収容空間の底面領域と略同一領域で形成されていることを特徴とする請求項７に記載の肩掛け可能な動物用キャリーバッグ。
【請求項１０】
所定の空間部は、開口と略同一領域で形成されていることを特徴とする請求項６に記載の肩掛け可能な動物用キャリーバッグ。
【請求項１１】
所定の空間部は、開口と略同一領域で形成されていることを特徴とする請求項７に記載の肩掛け可能な動物用キャリーバッグ。
【考案の詳細な説明】
【技術分野】
【０００１】
本考案は、例えば猫や小型の犬などの愛玩動物を収容して運搬するキャリーバッグに関し、より詳しくは、愛玩動物を収容可能な収容部を有し、かつ運搬者の肩に掛けて運搬することが可能な動物用キャリーバッグに関する。
【背景技術】
【０００２】
従来から、猫や小型の犬などの愛玩動物を運搬する動物用キャリーバッグとして、愛玩動物を収容可能な収容部を有したバッグ本体と、バッグ本体の底面部に備えたキャスター部と、バッグ本体から上方向に向けて引き出し可能に備えた引き手部とで構成された転がり運搬可能なキャリーバッグが知られている。
しかし、上述の転がり運搬するタイプのキャリーバッグでは、次のような課題があった。すなわち、動物は周辺の環境変化に非常に敏感であるため、転がり運搬している時の音や振動等によって神経が疲弊させられ、体調が崩れてしまうこともあった。
特に小型の犬にあっては、飼い主が見え難いキャリーバッグ内に閉じ込められ、かつ飼い主（運搬者）と離れている状況がかなりのストレスを与える虞もあると考えられる。
【０００３】
そこで、例えば特許文献１に開示されているように、収容部を備えたバッグ本体を、飼い主（運搬者）が肩掛け部（ショルダーベルト）を肩に掛けた状態で運搬することが可能な肩掛けタイプのキャリーバッグも提供されている。
【先行技術文献】
【特許文献】
【０００４】
【特許文献１】実用新案登録第３０９２６８３号公報
【考案の概要】
【考案が解決しようとする課題】
【０００５】
このような特許文献１に開示されているキャリーバッグであれば、道路を転がり運搬するものではないため、運搬時に生じる振動や音などが動物に与える影響も少なく、かつ飼い主（運搬者）との距離も近いため、キャリーバッグに収容されて運搬される動物に安心感を与えることが出来、ストレスも軽減し得るものと考えられる。
しかし、このような肩掛けタイプのキャリーバッグの場合、運搬中に肩掛け部が飼い主の肩からずれ落ちてしまうこともあり、飼い主が気を緩めてしまうとキャリーバッグそのものを落下させてしまう虞もあった。
また、キャリーバッグを肩から掛けた状態で飼い主が走る状況もあると考えられるが、キャリーバッグが前後左右に振られてしまい、収容部内の動物はとても不安定な状態となってしまう虞もあった。もちろんこのような状況の時、キャリーバッグを落下させてしまう虞が高い。
【０００６】
本考案は、上述した従来の問題点に鑑みなされたものであり、その目的とするところは、収容されて運搬される動物に安心感を与え、かつ落下を防止して安全に運搬し得る肩掛け可能な動物用キャリーバッグを提供することである。
【課題を解決するための手段】
【０００７】
上記課題を達成するために本考案がなした第１の技術的手段は、少なくとも一部に収容口を備えた動物収容部を有するバッグ本体と、バッグ本体を肩に掛けた状態で吊り下げ可能な肩掛け部を含み、運搬者が肩に掛けた状態で動物を収容して運搬可能なキャリーバッグであって、
バッグ本体は、運搬者が肩掛け部を肩に掛けた状態で、かつ肩掛け部を掛けた側の腕でバッグ本体を抱え込むことが可能な大きさに形成されており、
前記バッグ本体の底面部には、前記バッグ本体を抱え込んだ運搬者の手指で保持可能な保持部が備えられていることを特徴とする肩掛け可能な動物用キャリーバッグとしたことである。
【０００８】
第２の技術的手段は、第１の技術的手段において、保持部は、少なくとも運搬者の手指を挿し入れ可能な隙間を備えたベルト状に形成されていることを特徴とする肩掛け可能な動物用キャリーバッグとしたことである。
【０００９】
第３の技術的手段は、少なくとも一部に収容口を備えた動物収容部を有するバッグ本体と、バッグ本体を肩に掛けた状態で吊り下げ可能な肩掛け部を含み、運搬者が肩に掛けた状態で動物を収容して運搬可能なキャリーバッグであって、
バッグ本体は、運搬者が肩掛け部を肩に掛けた状態で、かつ肩掛け部を掛けた側の腕でバッグ本体を抱え込むことが可能な大きさに形成され、かつ
運搬者の体に接する面部を背面部とし、該背面部と対向し、抱え込んだ運搬者の腕が接する面部を正面部とした時に、
正面部、あるいは正面部と底面部の境界部位に、前記バッグ本体を抱え込んだ運搬者の手指が挿入されて保持可能な保持部が備えられていることを特徴とする肩掛け可能な動物用キャリーバッグとしたことである。
【００１０】
第４の技術的手段は、第３の技術的手段において、保持部は、動物収容部と連通している開口であることを特徴とする肩掛け可能な動物用キャリーバッグとしたことである。
【００１１】
第５の技術的手段は、第４の技術的手段において、動物収容部の内底面部には、開口を介して挿入された運搬者の手指が挿し入れ可能な隙間を備えたベルト状部材が備えられていることを特徴とする肩掛け可能な動物用キャリーバッグとしたことである。
【００１２】
第６の技術的手段は、第３の技術的手段において、バッグ本体の底面部と動物収容部との間に所定の空間部が形成され、
保持部は、前記所定の空間部と連通している開口であることを特徴とする肩掛け可能な動物用キャリーバッグとしたことである。
【００１３】
第７の技術的手段は、第６の技術的手段において、所定の空間部には、開口を介して挿入された運搬者の手指を挿し入れ可能な隙間を備えたベルト状部材が備えられていることを特徴とする肩掛け可能な動物用キャリーバッグとしたことである。
【００１４】
第８の技術的手段は、第６の技術的手段において、所定の空間部は、動物収容空間の底面領域と略同一領域で形成されていることを特徴とする肩掛け可能な動物用キャリーバッグとしたことである。
【００１５】
第９の技術的手段は、第７の技術的手段において、所定の空間部は、動物収容空間の底面領域と略同一領域で形成されていることを特徴とする肩掛け可能な動物用キャリーバッグとしたことである。
【００１６】
第１０の技術的手段は、第６の技術的手段において、所定の空間部は、開口と略同一領域で形成されていることを特徴とする肩掛け可能な動物用キャリーバッグとしたことである。
【００１７】
第１１の技術的手段は、第７の技術的手段において、所定の空間部は、開口と略同一領域で形成されていることを特徴とする肩掛け可能な動物用キャリーバッグとしたことである。
【考案の効果】
【００１８】
本考案によれば、収容されて運搬される動物に安心感を与え、かつ落下を防止して安全に運搬し得る肩掛け可能な動物用キャリーバッグを提供することができる。
【図面の簡単な説明】
【００１９】
【図１】実施例１によるキャリーバッグを正面側斜め下方からみた外観図である。
【図２】実施例１によるキャリーバッグを右側面側斜め下方からみた外観図である。
【図３】実施例１によるキャリーバッグの縦断概略正面図である。
【図４】実施例１によるキャリーバッグの縦断概略右側面図で、飼い主がキャリーバッグを肩に掛け、かつキャリーバッグを腕で抱え込んで保持部に指を掛けている状態を破線で示す。
【図５】実施例２によるキャリーバッグを正面側斜め下方からみた外観図である。
【図６】実施例２によるキャリーバッグを右側面側斜め下方からみた外観図である。
【図７】実施例２によるキャリーバッグの縦断概略正面図である。
【図８】実施例２によるキャリーバッグの縦断概略右側面図で、飼い主がキャリーバッグを肩に掛け、かつキャリーバッグを腕で抱え込んで保持部に指を掛けている状態を破線で示す。
【図９】実施例３によるキャリーバッグの縦断概略正面図である。
【図１０】実施例３によるキャリーバッグの縦断概略右側面図で、飼い主がキャリーバッグを肩に掛け、かつキャリーバッグを腕で抱え込んで保持部に指を掛けている状態を破線で示す。
【図１１】実施例４によるキャリーバッグの縦断概略正面図である。
【図１２】実施例４によるキャリーバッグの縦断概略右側面図で、飼い主がキャリーバッグを肩に掛け、かつキャリーバッグを腕で抱え込んで保持部に指を掛けている状態を破線で示す。
【考案を実施するための形態】
【００２０】
本考案による肩掛け可能な動物用キャリーバッグ（以下、単にキャリーバッグともいう。）を図に基づいて説明する。
【実施例１】
【００２１】
図１乃至図４は本考案の実施例１を示す。
図中１は本実施例１のキャリーバッグを示し、キャリーバッグ１は、犬などの愛玩動物Ａを収容可能な動物収容部（収容空間）Ｓを備えたバッグ本体１ａと、バッグ本体１ａを肩に掛けた状態で吊り下げ可能な肩掛け部（ショルダーベルト）８と、バッグ本体１ａの底面部２に備えられた保持部９とで構成されており、運搬者が肩に掛けた状態で愛玩動物Ａを収容して運搬可能なキャリーバッグの一例である。
【００２２】
バッグ本体１ａは、図１乃至図４に示すように、底面部２と、該底面部２の外周から一体に立ち上がり、運搬時に運搬者の体に接する背面部３と、背面部３と対向し、抱え込んだ運搬者の腕が接する正面部４と、該正面部４と背面部３とを一体に連結する左側面部５及び右側面部６とによって形成されている。
また、バッグ本体１ａは、運搬者が肩掛け部８を肩に掛けた状態で、かつ肩掛け部８を掛けた側の腕でバッグ本体１ａを抱え込むことが可能な大きさに形成されている。
【００２３】
本実施例では、底面部２と正面部４と背面部３と左側面部５及び右側面部６は、それぞれ、ナイロン樹脂による繊維を編んだ柔軟性を有した布で形成され、中空の箱型となるように接触する辺同士を突き合わして縫い合わされている。
なお、底面部２と正面部４と背面部３と左側面部５及び右側面部６は、柔軟性を有して形成されていれば、他の材質が採用されていても良い。例えば、帆布などの布が採用されていても良いし、樹脂やゴムによって成形された板であっても良い。
また、底面部２と正面部４と背面部３と左側面部５及び右側面部６を中空の箱型となるように接触する辺同士を突き合わして、その辺同士を縫い合わせて固定している場合を説明したが、辺同士が強固に固定されていれば、これに限定されず、他の固定方法が採用されていても良い。例えば、強力な接着剤で強固に固定されていても良いし、熱溶着によって強固に固定されていても良い。
【００２４】
本実施例では、正面部４と背面部３と左側面部５及び右側面部６の各上端によって囲まれた開口領域を、動物収容部（収容空間）Ｓ内に愛玩動物Ａを入れる収容口７ａとし、その収容口７ａには開閉自在な蓋面部７が備えられている。
具体的には、蓋面部７は、前記収容口７ａと同じ大きさの平面視四角形に形成され、左側面部５の上端と縫い合わされている。さらに、正面部４から右側面部６を経て背面部３の上端と、蓋面部７の上記各上端に接する３辺とには、図示しないスライドファスナーが備えられることによって開閉自在となっている。
なお、本実施例では、蓋面部７は、ナイロン樹脂による繊維を編んだ柔軟性を有した布で形成されている。なお、蓋面部７は、柔軟性を有して形成されていれば、他の材質が採用されていても良い。例えば、帆布などの布が採用されていても良いし、樹脂やゴムによって成形された板であっても良い。
【００２５】
前記底面部２と正面部４と背面部３と左側面部５及び右側面部６とで囲まれた内側の空間は、愛玩動物Ａが収容される動物収容部（収容空間）Ｓとなる（図３及び図４参照）。
動物収容部（収容空間）Ｓは、前記蓋面部７を開いた状態では、収容口７ａから愛玩動物Ａを出し入れすることができ、前記蓋面部７を閉じた状態では、動物収容部（収容空間）Ｓの上下左右全ての面が連結されているので、愛玩動物Ａが動物収容部（収容空間）Ｓから飛び出すことを防止する。
なお、本実施例では、動物収容部（収容空間）Ｓの底部（底面部２の内面側）には、敷板２ａが配置されている。また、愛玩動物Ａの収容時には、敷板２ａの上に尿吸収パッド等を配置しても良い。
【００２６】
また、左側面部５と右側面部６には、部分的に動物収容部Ｓの内外を連通した通気部１０が形成されている。
本実施例では、右側面部６の縁部を除く中央部には、ナイロンをメッシュ状に編んだ通気部１０が形成されている。さらに、その通気部１０を覆うように、開閉可能に形成された覆い１０ａが備えられている。覆い１０ａは、その上部が右側面部６と一体に縫い付けられており、上部以外を捲り上げることによって、前記通気部１０が露出する構成となっている。また、覆い１０ａと右側面部６には、スナップ１０ｂを備えており、そのスナップ１０ｂによって、覆い１０ａが通気部１０を覆う状態で固定可能となっている。
【００２７】
また、図示を省略するが、左側面部５にも、右側面部６と同様に通気部１０及び覆い１０ａが備えられている。
これにより、動物収容部（収容空間）Ｓの通気性が良好となり、運搬中の愛玩動物Ａの健康状態を良好に保つことができるとともに、通気部１０を介して、外部の光や音や匂い等を愛玩動物Ａが感じとることができるので、閉塞感を防いで、愛玩動物Ａが安定した精神状態で運搬されることが可能となる。
【００２８】
なお、本実施例では、通気部１０を左側面部５と右側面部６に備えた場合を説明したが、通気部１０は、正面部４と背面部３と左側面部５と右側面部６の少なくともいずれかひとつ若しくは複数の面部に備えていれば良く、その位置や数については任意である。また、愛玩動物Ａを運搬する使用状態によっては、通気部１０は必ずしも備えられていなくても良い。
また、本実施例では、正面部４に２つのポケット部１２を備えている。このポケット部１２は、小物などを収容することが可能であり、愛玩動物Ａを運搬する際の利便性を確保することができる。なお、ポケット部１２については、装飾としての目的もあるので、その形状や数や、ポケット部１２の有無については任意である。また、その他の装飾部材が配されていても良い。
【００２９】
肩掛け部８は、一対のショルダーベルト８ａ，８ｂとからなる。
ショルダーベルト８ａは、その一端側８ｃが、正面部４の外面に縫い付けられるとともに、収容口７ａの上方でループ状に折り返されて、他端側８ｄが再び正面部４の外面に位置するように配されている。また、ショルダーベルト８ａの他端側８ｄが配される正面部４の外面には、バックル８ｆを備えた短ベルト８ｅが縫い付けられている。
ショルダーベルト８ａの他端側８ｄが、バックル８ｆに挿し込まれる長さによって、ショルダーベルト８ａの長さを調節可能に構成されている。
【００３０】
また、ショルダーベルト８ｂは、図示を省略するが、ショルダーベルト８ａと同様に、その一端側が、背面部３の外面に縫い付けられるとともに、収容口７ａの上方でループ状に折り返されて、他端側が再び背面３の外面に位置するように配され、バックルを備えた短ベルトによって長さ調整可能に構成されている。
これにより、運搬者が、運搬者の体格に合わせて、ショルダーベルト８ａ，８ｂの長さを調節するとともに、ショルダーベルト８ａ，８ｂの各ループ部を運搬者の肩に掛けることによって、安定良く愛玩動物Ａを運搬することができる。
なお、ショルダーベルト８ａ，８ｂの材質としては、キャリーバッグ１に愛玩動物Ａを収容した場合に、その重量によって切断されることなく、安全に運搬可能な強度を有していれば良い。例えば、本実施例では、ナイロン製のベルトが採用されている。
【００３１】
なお、本実施例では、一例として、肩掛け部８を正面部４と背面部３に備えた場合を説明したが、これに限定されず、肩掛け部８がキャリーバッグ１の上方でループ状となっていれば、他の構成であっても良い。
例えば、肩掛け部８は、左側面部５及び右側面部６に一対のショルダーベルトが備えられて肩掛け部８とされていても良いし、あるいは、底面部２と正面部４と背面部３と左側面部５及び右側面部６の少なくともいずれか一つの面部に備えられていれば良く、例えば、肩掛け部８が底面部２に縫い付けられており、正面部４と背面部３の表面を沿って、キャリーバッグ１の上方でループ状となっていても良い。
【００３２】
また、本実施例では、肩掛け部８を逆Ｕ字形に配されたショルダーベルト８ａ，８ｂとした場合を説明したが、これに限定されず、ベルト部の両端が纏められてＹ字形に固定されていても良い。この場合であっても、肩掛け部８がキャリーバッグ１の上方でループ状となっていれば、そのループ状の部分を運搬者の肩に掛けて、愛玩動物Ａを運搬することができる。
【００３３】
保持部９は、バッグ本体１ａの底面部２に備えられており、バッグ本体１ａを抱え込んだ運搬者の手指で保持可能な構成を有している。
本実施例では、少なくとも運搬者の手指を挿し入れ可能な隙間を備えたベルト状に形成され、底面部２の外面側に備えられる把持ベルト９０を採用した。
把持ベルト９０は、細長平板状に形成され、底面部２で正面部４寄りに備えられている。
把持ベルト９０は、その両端部９０ａ，９０ｂのみが底面部２に固定されている。この場合、両端部９０ａ，９０ｂがそれぞれ左側面部５及び右側面部６の方向に向くようにして固定されている。
これにより、把持ベルト９０の中央部は、底面部２に固定されていない状態となり、該把持ベルト９０の中央部が、底面部２との間に、少なくとも手指を挿し入れ可能な隙間９０ｃを持つように固定されている。
なお、底面部２の四隅には、それぞれ、少なくとも把持ベルト９０の厚みよりも高さのある脚部１１が配されている。これにより、キャリーバッグ１を机等に置いた場合であっても、把持ベルト９０に手指を差し込み易くなる。
【００３４】
本実施例によれば、キャリーバッグ１の肩掛け部８を運搬者の肩に掛けた状態において、バッグ本体１ａを抱え込んだ手指で把持ベルト（保持部）９０を掴むことができる（図４参照。）。
これにより、肩掛け部８と把持ベルト（保持部）９０の双方及びバッグ本体１ａを抱え込む運搬者の腕によって運搬中のキャリーバッグ１が安定する。
従って、運搬中にたとえ肩掛け部８が肩から外れたとしても、バッグ本体１ａを腕で抱え込んでおり、かつ把持ベルト（保持部）９０を掴んでいるため、キャリーバッグ１を落下させる虞もない。これは、運搬している飼い主に安心感を常に与えることが出来る。
また、振り回されるような事態が避けられるため、運搬中の愛玩動物Ａに不測の振動が加えられることなく、愛玩動物Ａが不安になることもない。
さらに、把持ベルト９０が、底面部２の中央部よりも正面部４寄りに備えられていることにより、運搬者がキャリーバッグ１を肩から吊下げ、バッグ本体１ａを抱え込んだときに、把持ベルト９０を掴み易くなるので、キャリーバッグ１の動きをしっかりと抑えることができる。
また、運搬者、すなわち飼い主の腕で抱え込まれている状態となり、愛玩動物Ａには、飼い主の肌温度や鼓動などがバッグ本体１ａを通して伝達され得るため、運搬中の愛玩動物Ａに安心感を与えることができる。
【００３５】
なお、把持ベルト９０は、運搬者がキャリーバッグ１を肩から吊下げた場合に、正面部４側に腕を回して把持ベルト９０を掴み易い底面部２の任意位置に配されていれば良く、本実施例の構成には限定解釈されるものではない。
【００３６】
例えば、把持ベルト９０が、正面部４と角度を持って配されていても良い。具体的には、運搬者が、左側面部５側から腕を回して掴み易いように、正面部４よりも左側面部５側に傾斜して配されていても良く、或いは、右側面部６側から腕を回して掴み易いように、正面部４よりも右側面部６側に傾斜して配されていても良い。または、把持ベルト９０が左側面部５や右側面部６と並行に配されていても良い。その場合であっても、底面部２の中央部よりも外面側に配されていることにより、運搬者がキャリーバッグ１を肩から吊下げた場合に、正面部４側に腕を回して把持ベルト９０を掴み易くなる。
【００３７】
また、把持ベルト９０と底面部２との隙間９０ｃについては、少なくとも手指を挿し入れ可能な隙間を持つように固定されていれば、隙間寸法については特に限定しない。例えば、上記隙間９０ｃは、指の厚み寸法より僅かに大きな寸法に設定されていても良いし、腕を挿し込むことが可能な寸法に設定されていても良く、キャリーバッグ１の大きさや運搬される愛玩動物の重量などに応じて、適宜設計により最良の隙間寸法に設定されればよい。また、把持ベルト９０は、隙間９０ｃの貫通方向に複数個並べて設けるものとすることも可能である。
【００３８】
なお、本実施例では、キャリーバッグ１の底面部２と正面部４と背面部３と左側面部５と右側面部６と蓋面部７が箱型に形成されている場合を説明したが、これらの各部材が明確に区分けされず、複数の部材が連続して一体となって形成されていても良い。例えば、正面部４と背面部３と左側面部５と右側面部６とが連続して一体に形成され、キャリーバッグ１の平面視形状が小判型となっていても良い。
【００３９】
本実施例では、上述したように、底面部２の外面側に保持部としての把持ベルト９０を備えているが、本実施例における保持部は把持ベルト９０によるものには限られない。すなわち、図示は省略するが、運搬者の手指が挿し入れ可能な孔部を底面部２の所定位置に設けるものであっても本実施例と同様の作用効果を発揮し得る。この場合の孔部は、動物収容部（収容空間）Ｓに貫通して設けられていても、貫通することなく設けられているものであってもよい。貫通して設けられている場合には、動物収容部（収容空間）Ｓ内の愛玩動物Ａが飼い主（運搬者）に直接触れることができるため、さらなる安心感を与えることも可能となる。
【実施例２】
【００４０】
図５乃至図８は本考案の実施例２を示す。
本実施例は、バッグ本体１ａの正面部４における底面部２との境界位置寄りに、前記バッグ本体１ａを抱え込んだ運搬者の手指が挿入可能な開口２０が設けられており、この開口２０がバッグ本体１ａを保持する保持部９として機能する本考案の実施の一形態を示している。
【００４１】
本実施例において保持部９としての開口２０は、動物収容部（収容空間）Ｓと連通している。
開口２０は、本実施例では、運搬者の手指が挿し入れ可能な程度の大きさで設けられているが、何等限定解釈はされず、大きめに形成して両面ファスナーやスライドファスナーなどで開閉自在に構成してもよい。
また、本実施例では、動物収容部Ｓの内底面部に、前記保持部９としての開口２０を介して挿入された運搬者の手指が挿し入れ可能な隙間２２を備えたベルト状部材（把持ベルト）２４が備えられている。
なお、ベルト状部材（把持ベルト）２４は、実施例１で説明した把持ベルト９０と同様の構成であるため、詳細な説明は省略する。
【００４２】
従って、保持部９としての開口２０に手指を挿し入れ、あるいは挿し入れた手指で開口２０を握り締めたりすることでバッグ本体１ａを支えることができ、キャリーバッグ１の落下を防止することができる。また、本実施例によれば、開口２０に運搬者の手が挿し入れられ、かつベルト状部材２４の隙間２２に手指を挿し入れて掴むことができるため、キャリーバッグ１の落下防止に有効に寄与することができる。
また、本実施例によれば、キャリーバッグ１を抱えて運搬する飼い主（運搬者）の手指が直接に愛玩動物Ａを収容している動物収容部Ｓに挿し入れられるため、愛玩動物Ａにとっては飼い主の温もりが直接伝わり、とても高い安心感を与えることができる。
その他の構成及び作用効果については、前述した実施例１のキャリーバッグ１と同様であるので、その説明は省略する。
【００４３】
なお、本実施例では、正面部４の一部に直接保持部９としての開口２０を設けたが、正面部４と底面部２の境界部位に保持部としての開口を設けることもできる。
また、本実施例では、ベルト状部材（把持ベルト）２４も備え、二重の保持構造を採用して安全面の向上を図っているが、保持部９としての開口２０のみであっても本考案の作用効果は十分に発揮し得ることは言うまでもない。
【実施例３】
【００４４】
図９及び図１０は本考案の実施例３を示す。
本実施例は、実施例２と同様に、正面部４に設けた開口２０が保持部９として機能する実施の一例であるが、本実施例のバッグ本体１は、底面部２と動物収容部Ｓとの間に所定の空間部Ｋを備えており、保持部９としての開口２０は、前記所定の空間部Ｋと連通している点で実施例２と異なっている。
本実施例での所定の空間部Ｋは、動物収容部Ｓの底面領域と略同一領域の大きさをもって形成されている。
また、本実施例では、所定の空間部Ｋの内底面部（底面部２の内面側の面部）に、前記保持部９としての開口２０を介して挿入された運搬者の手指が挿し入れ可能な隙間２２を備えたベルト状部材（把持ベルト）２４が備えられている。
本実施例において、ベルト状部材（把持ベルト）２４は、所定の空間部Ｋの天井面部（動物収容部Ｓの外面側の面部）に備えるものであってもよく、あるいは所定の空間部Ｋの天井面部と内底面部の双方に備えるものであってもよく本発明の範囲内で設計変更可能である。
【００４５】
本実施例によれば、運搬者の手指が直接に動物収容部Ｓに挿し入れられるものではないため、運搬者が飼い主以外の者である場合に安心して運搬ができる。
その他の構成及び作用効果については、前述した実施例１及び２のキャリーバッグ１と同様であるので、その説明を省略する。
【実施例４】
【００４６】
図１１及び図１２は本考案の実施例４を示す。
実施例４は、前記実施例３の変形例であって、所定の空間部Ｋは、保持部９として機能する開口２０と略同一領域の大きさをもって形成されている。
その他の構成及び作用効果については、前述した実施例１乃至３のキャリーバッグ１と同様であるので、その説明を省略する。
【００４７】
［変形例］
上述した各実施例では、キャリーバッグ１を形成する底面部２と正面部４と背面部３と左側面部５と右側面部６及び蓋面部７がそれぞれ、柔軟性を有した材質で形成されている場合を説明したが、キャリーバッグ１を形成する各部材は、硬質な材質で形成されていても良い。
なお、硬質な材質としては、愛玩動物Ａの体重を支えて、繰り返し運搬しても破壊されることのない程度の強度を有していれば良く、例えば、ＡＢＳ樹脂や強化プラスチック等が採用されても良い。
【００４８】
また、上述した各実施例では、箱型に接続された正面部４と背面部３と左側面部５及び右側面部６の各上端によって囲まれた収容口７ａに、開閉自在な蓋面部７が備えられている場合を説明したが、蓋面部７が、開閉自在ではなく、前記正面部４と背面部３と左側面部５及び右側面部６の各上端に固定して上面部として接続されていても良い。
この場合には、底面部２と正面部４と背面部３と左側面部５と右側面部６及び蓋面部７（固定された上面部）の少なくとも何れか一つの面部に、その面部の一部分が開閉可能な扉として形成されていれば良い。このように形成すれば、扉を介してキャリーバッグ１の動物収容部（収容空間）Ｓに、愛玩動物Ａを出し入れすることが可能となる。
【符号の説明】
【００４９】
１  キャリーバッグ
１ａ  バッグ本体
２  底面部
７ａ  収容口
８  肩掛け部
９  保持部
２０  開口
Ｓ  動物収容部
【図１】
0003154180.tif 000003
【図２】
0003154180.tif 000004
【図３】
0003154180.tif 000005
【図４】
0003154180.tif 000006
【図５】
0003154180.tif 000007
【図６】
0003154180.tif 000008
【図７】
0003154180.tif 000009
【図８】
0003154180.tif 000010
【図９】
0003154180.tif 000011
【図１０】
0003154180.tif 000012
【図１１】
0003154180.tif 000013
【図１２】
0003154180.tif 000014